(57)【要約】【課題】光学フィルタの交換に伴う光学フィルタ情報の変更作業を簡素化するようにしたテレビジョンカメラを提供する。【解決手段】ＲＯＭ（８）に複数の光学フィルタ情報を予め記憶させておき、その中からテレビジョンカメラ（１）に装着される複数枚の光学フィルタ（１１ａ，１１ｂ，１１ｃ，１１ｄ）の情報を操作部（１２）の操作によって選択してＥＥＰＲＯＭ（９）に書き込む。そして、回転位置センサ（６）の出力に基づいて使用中の光学フィルタを検出し、それに対応する光学フィルタ情報をＥＥＰＲＯＭ（９）から読み出してビューファインダ（３）およびモニタ（４）に表示する。【選択図】図１
2007195000.tif 000002
【特許請求の範囲】
【請求項１】
光学フィルタが装着されたテレビジョンカメラにおいて、
前記光学フィルタの情報を予め複数記憶する第１の記憶手段と、
前記第１の記憶手段に予め記憶された複数の情報の中から前記装着された光学フィルタの情報を操作者の操作に応じて選択する選択手段と、
前記選択された情報が書き込まれる第２の記憶手段と、
前記第２の記憶手段に書き込まれた情報を表示する表示手段と、
を備えることを特徴とするテレビジョンカメラ。
【請求項２】
複数枚の光学フィルタが装着されたテレビジョンカメラにおいて、
前記光学フィルタの情報を予め複数記憶する第１の記憶手段と、
前記第１の記憶手段に予め記憶された複数の情報の中から前記装着された複数枚の光学フィルタのそれぞれの情報を操作者の操作に応じて選択する選択手段と、
前記選択された各情報が書き込まれる第２の記憶手段と、
前記装着された複数枚の光学フィルタの中から使用中の光学フィルタを検出する検出手段と、
前記第２の記憶手段に書き込まれた各情報の中から前記使用中の光学フィルタの情報を表示する表示手段と、
を備えることを特徴とするテレビジョンカメラ。
【請求項３】
請求項２に記載のテレビジョンカメラにおいて、
前記光学フィルタの情報には少なくともフィルタ色温度が含まれると共に、
前記光学フィルタを介して入力される映像信号の利得を、前記選択された各情報に含まれる前記フィルタ色温度に基づいて管理する利得管理手段を備えることを特徴とするテレビジョンカメラ。
【請求項４】
請求項３に記載のテレビジョンカメラにおいて、
前記利得管理手段は、前記選択された各情報に同一のフィルタ色温度が複数含まれるとき、前記同一のフィルタ色温度である複数枚の光学フィルタに対して同一の利得を使用することを特徴とするテレビジョンカメラ。
【発明の詳細な説明】
【技術分野】
【０００１】
本発明は、テレビジョンカメラに関し、より詳しくは、光学フィルタの交換が可能なテレビジョンカメラに関する。
【背景技術】
【０００２】
例えば特許文献１に記載されるように、テレビジョンカメラの光路上には、複数枚の光学フィルタが装着されたフィルタディスクが設けられる。フィルタディスクは回転自在に支持されており、被写体や撮影条件などに合わせて最適な光学フィルタを使用することができる。また、フィルタディスクの回転をセンサで検出することによって使用中の光学フィルタを特定し、その光学フィルタの情報（例えばＣＣ（Color Conversion。色温度変換）やＮＤ（Neutral Density。光量調整）の特性など）をビューファインダなどの表示手段に表示することが行われている。
【特許文献１】特開昭６３−２６９１３９号公報（第２頁左下欄第１６行目から右下欄第１７行目）
【発明の開示】
【発明が解決しようとする課題】
【０００３】
従来、表示手段に表示される光学フィルタ情報は、ＲＯＭに記憶されていた。そのため、テレビジョンカメラに装着される光学フィルタを交換する場合、光学フィルタ情報を記憶したＲＯＭのデータも更新する必要があり、作業が煩雑であった。
【０００４】
従って、本発明の目的は上記した課題を解決し、光学フィルタの交換に伴う光学フィルタ情報の変更作業を簡素化するようにしたテレビジョンカメラを提供することにある。
【課題を解決するための手段】
【０００５】
上記した課題を解決するため、本発明にあっては、光学フィルタが装着されたテレビジョンカメラにおいて、前記光学フィルタの情報を予め複数記憶する第１の記憶手段と、  前記第１の記憶手段に予め記憶された複数の情報の中から前記装着された光学フィルタの情報を操作者の操作に応じて選択する選択手段と、前記選択された情報が書き込まれる第２の記憶手段と、前記第２の記憶手段に書き込まれた情報を表示する表示手段とを備えることを特徴とする。
【０００６】
また、本発明にあっては、複数枚の光学フィルタが装着されたテレビジョンカメラにおいて、前記光学フィルタの情報を予め複数記憶する第１の記憶手段と、前記第１の記憶手段に予め記憶された複数の情報の中から前記装着された複数枚の光学フィルタのそれぞれの情報を操作者の操作に応じて選択する選択手段と、前記選択された各情報が書き込まれる第２の記憶手段と、前記装着された複数枚の光学フィルタの中から使用中の光学フィルタを検出する検出手段と、前記第２の記憶手段に書き込まれた各情報の中から前記使用中の光学フィルタの情報を表示する表示手段とを備えることを特徴とする。
【発明の効果】
【０００７】
本発明に係るテレビジョンカメラにあっては、第１の記憶手段に光学フィルタ情報を予め複数記憶しておき、その中からテレビジョンカメラに装着された光学フィルタの情報を選択して第２の記憶手段に書き込み、第２の記憶手段に書き込んだ光学フィルタ情報を表示手段に表示するように構成したので、光学フィルタの交換に伴う光学フィルタ情報の変更作業を簡素化することができる。
【発明を実施するための最良の形態】
【０００８】
以下、本発明に係るテレビジョンカメラを実施するための最良の形態について、図面を参照して説明する。
【０００９】
図１は、本発明に係るテレビジョンカメラを、光学フィルタ情報の表示に関する構成を中心に表すブロック図である。
【００１０】
図１において、符号１はテレビジョンカメラを示す。テレビジョンカメラ１には、撮像レンズ２とビューファインダ（表示手段）３が取り付けられると共に、モニタ（表示手段）４が接続される。尚、テレビジョンカメラ１は、後に詳説する如く、撮像光を色分解プリズムでＲ（赤），Ｇ（緑），Ｂ（青）の３原色に色分解し、各原色光を３個のＣＣＤによって３原色信号（映像信号）に光電変換する、３板式カメラである。
【００１１】
テレビジョンカメラ１は、フィルタディスク５と、回転位置センサ（検出手段）６と、ＣＰＵ（Central Processing Unit）７と、ＲＯＭ（Read Only Memory。第１の記憶手段）８と、ＥＥＰＲＯＭ（Electronically Erasable and Programmable Read Only Memory。第２の記憶手段）９と、文字信号出力部１０とを備える。
【００１２】
フィルタディスク５は、テレビジョンカメラ１の光路上（具体的には、撮像レンズ２と色分解プリズム（図１で図示せず）の間）に回転自在に支持されると共に、複数枚の光学フィルタが装着される。この実施例にあっては、フィルタディスク５に装着される光学フィルタの枚数を４枚とし、各光学フィルタをそれぞれ符号１１ａ，１１ｂ，１１ｃ，１１ｄで示す。フィルタディスク５は、手動あるいは電動によって回転させられることにより、各光学フィルタ１１ａ，１１ｂ，１１ｃ，１１ｄのいずれかがテレビジョンカメラ１の光路上に配置される。各光学フィルタ１１ａ，１１ｂ，１１ｃ，１１ｄは、それぞれＣＣ，ＮＤおよびＥＦＦＥＣＴの少なくともいずれかが他の光学フィルタとは異なる特性に設定される。以下、光学フィルタの特性を表すＣＣ，ＮＤ，ＥＦＦＥＣＴのそれぞれを、光学フィルタの情報（光学フィルタ情報）と呼ぶ。
【００１３】
回転位置センサ６は、例えばフォトカプラやポテンショメータなどからなり、フィルタディスク５の回転位置（角）に応じた出力を生じる。回転位置センサ６の出力はＣＰＵ７に入力される。ＣＰＵ７は、回転位置センサ６の出力に基づいてフィルタディスク５の回転位置を算出し、算出結果から４枚の光学フィルタ１１ａ，１１ｂ，１１ｃ，１１ｄのいずれが使用中であるか（光路上に位置しているか）を検出する。
【００１４】
ＣＰＵ７には、ＲＯＭ８とＥＥＰＲＯＭ９が接続される。ＲＯＭ８には、上記した光学フィルタ情報が予め複数記憶される。例えば、ＣＣとして「３２００Ｋ」、「４３００Ｋ」、「５６００Ｋ」、「６３００Ｋ」、「８３００Ｋ」の５つの値が記憶される。また、ＮＤとして「ＮＤ無」、「１／４ＮＤ」、「１／８ＮＤ」、「１／１６ＮＤ」、「１／３２ＮＤ」、「１／６４ＮＤ」の６つの特性が記憶されると共に、ＥＦＦＥＣＴとして「ＥＦＦＥＣＴ無」、「ＣＲＯＳＳ」、「ＳＮＯＷ」、「ＳＵＮＮＹ」の４つの特性が記憶される。尚、ＲＯＭ８には、光学フィルタ情報の他に、テレビジョンカメラ１を動作させるための各種プログラムが格納される。
【００１５】
ＣＰＵ７は、ＲＯＭ８に記憶された複数の光学フィルタ情報の中から、テレビジョンカメラ１に装着された（即ち、フィルタディスク５に装着された）各光学フィルタ１１ａ，１１ｂ，１１ｃ，１１ｄのそれぞれの情報をＥＥＰＲＯＭ９に書き込む。
【００１６】
ここで、ＥＥＰＲＯＭ９への光学フィルタ情報の書き込みについて説明する。図１に示す如く、テレビジョンカメラ１には操作部（選択手段）１２が設けられる。操作部１２は、操作者（カメラマン）が操作可能なようにテレビジョンカメラ１の筐体に設けられ、例えば十字キー１２ａやファンクションキー１２ｂなどを備える。操作部１２の十字キー１２ａやファンクションキー１２ｂから入力された信号は、ＣＰＵ７に送出される。
【００１７】
ＣＰＵ７は、操作者による操作部１２の操作に応じて表示文字データを生成し、生成した表示文字データを文字信号出力部１０に出力する。文字信号出力部１０は、ＣＰＵ７から出力された表示文字データに従い、文字信号をビューファインダ３とモニタ４に出力する。ビューファインダ３とモニタ４は、文字信号出力部１０から出力された文字信号に応じた文字情報を表示する。
【００１８】
図２に、ビューファインダ３とモニタ４に表示される画面の一例を示す。操作部１２の操作により、ビューファインダ３とモニタ４には、図２に示すようなフィルタ・セッティング・メニュー（FILTER SETTING MENU）画面が表示される。図２に示すフィルタ・セッティング・メニュー画面に表示されるＦＩＬＴＥＲ１〜４は、それぞれ上記した光学フィルタ１１ａ，１１ｂ，１１ｃ，１１ｄを表す。
【００１９】
フィルタ・セッティング・メニュー画面には、さらにＦＩＬＴＥＲ１〜４のそれぞれに対し、ＣＣ，ＮＤ，およびＥＦＦＥＣＴの各項目が表示される。ＣＣ，ＮＤおよびＥＦＦＥＣＴの各項目には、ＲＯＭ８に記憶された各情報が、操作部１２の操作に応じ、例えば図３に示すように順次切り替わって表示される。
【００２０】
操作者は、操作部１２を操作することによってフィルタ・セッティング・メニュー画面に表示されたＦＩＬＴＥＲ１〜４のいずれかを選択し、さらに選択した光学フィルタの情報（ＣＣ，ＮＤ，ＥＦＦＥＣＴのそれぞれ）を、ＲＯＭ８に記憶された光学フィルタ情報の中から選択する。
【００２１】
ＣＰＵ７は、上記の如くして選択された各光学フィルタ１１ａ，１１ｂ，１１ｃ，１１ｄの情報を、ＥＥＰＲＯＭ９に書き込む。そして、ＣＰＵ７は、ＥＥＰＲＯＭ９に書き込まれた各光学フィルタ情報の中から、使用中（光路上に位置している）の光学フィルタの情報を読み出して表示文字データを生成し、文字信号出力部１０を介してビューファインダ３とモニタ４に表示する。ビューファインダ３とモニタ４に表示される光学フィルタ情報の一例を、図４に示す。
【００２２】
このように、テレビジョンカメラ１に装着される光学フィルタ１１ａ，１１ｂ，１１ｃ，１１ｄの情報は、ＲＯＭ８に予め記憶された複数の情報の中から選択されてＥＥＰＲＯＭ９に記憶される。従って、光学フィルタを交換するときは、ＲＯＭ８に記憶された複数の光学フィルタ情報の中から、交換後の光学フィルタの特性に合わせ、ＥＥＰＲＯＭ９に書き込む情報を選択すればよい。そのため、光学フィルタの交換時にＲＯＭ８のデータを更新する必要がない。尚、テレビジョンカメラ１を新規に組み立てるときも、上記のようにして光学フィルタ情報をＥＥＰＲＯＭ９に書き込む。
【００２３】
次いで、テレビジョンカメラ１で行われるＲ，Ｇ，Ｂ信号の利得管理について説明する。
【００２４】
図５は、テレビジョンカメラ１を、映像信号処理に関する構成を中心に表すブロック図である。図５に示すように、撮像レンズ２から入射した被写体（図示せず）の撮像光は、フィルタディスク５に装着された光学フィルタ１１ａ，１１ｂ，１１ｃ，１１ｄ（図５で図示せず）のいずれかを透過した後、色分解プリズム１５でＲ，Ｇ，Ｂの３原色に色分解される。色分解プリズム１５で色分解されたＲ，Ｇ，Ｂの各原色光は、ＣＣＤ１６Ｒ，１６Ｇ，１６ＢによってそれぞれＲ，Ｇ，Ｂの３原色信号（アナログ信号）に光電変換される。
【００２５】
ＣＣＤ１６Ｒ，１６Ｇ，１６Ｂから出力された３原色信号は、ＣＤＳ（相関二重サンプリング）回路１７で熱雑音や１／ｆ雑音などが除去された後、プリアンプ回路１８で増幅される。プリアンプ回路１８から出力された３原色信号は、さらにＶＧＡ（可変利得アンプ）回路１９で利得制御され後、Ａ／Ｄ変換回路２０でデジタル信号に変換され、ＤＳＰ（デジタル信号処理）回路２１に入力される。ＤＳＰ回路２１では、入力した３原色信号に対し、ガンマ補正やマスキングなどのデジタル信号処理が行われる。ＤＳＰ回路２１で上記各処理が施された３原色信号は、Ｄ／Ａ変換回路２２でアナログ信号に再変換された後、前述したビューファインダ３やモニタ４などに出力され、撮像画像が表示される。
【００２６】
また、ＤＳＰ回路２１から出力されたＲ，Ｇ，Ｂ信号は、前述したＣＰＵ７にも入力される。ＣＰＵ７は、入力されたＲ，Ｇ，Ｂ信号に基づき、ホワイトバランスの調整を行う。この実施例にあっては、Ｇ信号のレベルを基準レベルとし、ＲおよびＢ信号のレベルが当該基準レベルと同等になるように、ＲおよびＢ信号の利得が算出される。
【００２７】
ＣＰＵ７で算出された利得の値（以下「利得情報」という）は、そのとき使用されていた光学フィルタ用の値として、前述したＥＥＰＲＯＭ９に書き込まれる。ＥＥＰＲＯＭ９には、各光学フィルタ１１ａ，１１ｂ，１１ｃ，１１ｄ用の利得情報が書き込まれる。
【００２８】
ＣＰＵ７は、回転位置センサ６の出力から使用中の光学フィルタを検出し、それに対応した利得情報をＥＥＰＲＯＭ９から読み出してＶＧＡ回路１９に出力する。ＶＧＡ回路１９は、入力された利得情報に従い、ＲおよびＢ信号を増幅あるいは減衰させる。
【００２９】
尚、ＥＥＰＲＯＭ９は、４枚の光学フィルタ１１ａ，１１ｂ，１１ｃ，１１ｄのそれぞれについて、利得情報を２パターンずつ記憶する。即ち、ＥＥＰＲＯＭ９には、４枚の光学フィルタのそれぞれに対して利得情報が２パターンずつ、計８パターンの利得情報が記憶される。
【００３０】
図５に示すように、操作部１２には前述した十字キー１２ａやファンクションキー１２ｂの他に、例えばセレクタスイッチ１２ｃが設けられ、このセレクタスイッチ１２ｃを操作者が操作することにより、各光学フィルタについて２パターンずつ記憶された利得情報のうちいずれを使用するかが選択される。
【００３１】
ここで、スタジオ内など、被写体の色温度が大きく変化しない環境下で使用されるテレビジョンカメラにあっては、各光学フィルタのＣＣを一定とし、ＮＤやＥＦＦＥＣＴの特性のみを相違させる場合がある。ＮＤやＥＦＦＥＣＴの特性が異なっても、ＣＣが一定ならばホワイトバランスに影響しないため、ＲおよびＢ信号の利得は変化しない。
【００３２】
そこで、本実施例にあっては、ＣＰＵ７において、各光学フィルタ１１ａ，１１ｂ，１１ｃ，１１ｄの利得情報をフィルタ色温度、即ち、各光学フィルタのＣＣの値に基づいて管理するようにした。
【００３３】
具体的には、上述したフィルタ・セッティング・メニュー画面を通じて選択された各光学フィルタ情報に同一のＣＣが複数含まれるとき、換言すれば、４枚の光学フィルタ１１ａ，１１ｂ，１１ｃ，１１ｄのうち少なくとも２枚以上の光学フィルタのＣＣが同一であるときは、その中のいずれか１枚の光学フィルタを使用してホワイトバランスの調整を行い、それによって得た利得情報をＣＣが同一な他の光学フィルタに対しても使用するようにした。
【００３４】
例えば、４枚の光学フィルタ１１ａ，１１ｂ，１１ｃ，１１ｄのＣＣが全て同じ値であれば、その中の１枚の光学フィルタ（ここでは光学フィルタ１１ａとする）を使用してホワイトバランスの調整を行い、よって得た利得情報を他の光学フィルタ１１ｂ，１１ｃ，１１ｄの利得情報としても使用する。このように、ＣＣが同一である光学フィルタが複数枚存在する場合は、それらの光学フィルタに関してはホワイトバランスの調整を１枚分のみ行えばよく、利得情報の取得作業を簡素化することができる。また、記憶すべき利得の情報量を低減できるため、ＥＥＰＲＯＭ９の記憶領域の使用量を削減することも可能となる。
【００３５】
以上のように、本発明に係るテレビジョンカメラ１にあっては、ＲＯＭ８に予め複数の光学フィルタ情報を記憶させておき、その中からテレビジョンカメラ１に装着される複数枚の光学フィルタ１１ａ，１１ｂ，１１ｃ，１１ｄの情報を操作部１２の操作によって選択してＥＥＰＲＯＭ９に書き込む。そして、回転位置センサ６の出力に基づいて使用中の光学フィルタを検出し、それに対応する光学フィルタ情報をＥＥＰＲＯＭ９から読み出してビューファインダ３およびモニタ４に表示するように構成した。従って、光学フィルタを交換する際にＲＯＭ８のデータを更新する必要がない。そのため、光学フィルタの交換に伴う光学フィルタ情報の変更作業を簡素化することができる。
【００３６】
また、光学フィルタ１１ａ，１１ｂ，１１ｃ，１１ｄを介して入力されるＲ，Ｇ，Ｂ信号の利得を、選択された各光学フィルタ情報に含まれるＣＣの値（フィルタ色温度）に基づいて管理する、具体的には、ＣＣの値が同一である複数枚の光学フィルタに対し、同一の利得情報を使用するように構成したので、上記した効果に加え、光学フィルタの交換に伴う利得情報（ホワイトバランス調整に使用する利得の値）の取得作業を簡素化することができる。
【００３７】
尚、本発明の実施の形態にあっては、光学フィルタの枚数を４枚としたが、それ以外の枚数（１枚から３枚、あるいは５枚以上）であってもよい。また、光学フィルタ情報としてＣＣとＮＤとＥＦＦＥＣＴを例示したが、光学フィルタ情報は必ずしもそれら３種に限定されるものではない。さらに、選択可能な（ＲＯＭ８に記憶される）ＣＣ，ＮＤおよびＥＦＦＥＣＴの具体的な値や特性も上記に限られるものではない。
【００３８】
また、光学フィルタ情報の選択と利得情報の算出を同一のＣＰＵ７で行うようにしたが、それぞれ別個のＣＰＵで行ってもよい。また、選択された光学フィルタ情報と算出された利得情報をＥＥＰＲＯＭ９に書き込むようにしたが、書き込みおよび消去が可能な記憶媒体であれば、他のものを使用してもよい。さらに、選択された光学フィルタ情報と算出された利得情報を共通の記憶媒体（ＥＥＰＲＯＭ９）に書き込むようにしたが、それぞれ別の記憶媒体に書き込んでもよい。
【００３９】
また、図２および図４に示した表示画面は一例に過ぎず、表示内容はビューファインダやモニタの表示桁数などに応じて適宜変更してもよい。また、光学フィルタ情報をビューファインダ３とモニタ４の両方に表示するようにしたが、いずれか一方に表示する、あるいはいずれに表示するか切り替えられるようにしてもよい。さらに、操作者が操作する操作部１２として十字キー１２ａとファンクションキー１２ｂとセレクタスイッチ１２ｃを例示したが、他のキーやボタン、スイッチなどを使用してもよい。
【図面の簡単な説明】
【００４０】
【図１】本発明に係るテレビジョンカメラを、光学フィルタ情報の表示に関する構成を中心に表すブロック図である。
【図２】図１に示すビューファインダとモニタに表示される画面の一例を表す図である。
【図３】図２に示す画面に表示される光学フィルタ情報の切り替わりを表す図である。
【図４】図１に示すビューファインダとモニタに表示される光学フィルタ情報の一例を表す図である。
【図５】図１に示すテレビジョンカメラを、映像信号処理に関する構成を中心に表すブロック図である。
【符号の説明】
【００４１】
１：テレビジョンカメラ、  ３：ビューファインダ（表示手段）、  ４：モニタ（表示手段）、  ６：回転位置センサ（検出手段）、  ７：ＣＰＵ（利得管理手段）、  ８：ＲＯＭ（第１の記憶手段）、  ９：ＥＥＰＲＯＭ（第２の記憶手段）、  １１ａ，１１ｂ，１１ｃ，１１ｄ：光学フィルタ、  １２：操作部（選択手段）
【図１】
2007195000.tif 000003
【図２】
2007195000.tif 000004
【図３】
2007195000.tif 000005
【図４】
2007195000.tif 000006
【図５】
2007195000.tif 000007